(57)【特許請求の範囲】
【請求項１】
複数のコンタクトと、これらコンタクトを予め定められた方向に収納するベースインシュレータと、該ベースインシュレータに搭載され前記予め定められた方向に直交する方向に摺動するスライダとを備え、
前記スライダを摺動させ、少くとも一つのコンタクトの側面を押して移動させ、当該コンタクトが、被測定電子部品の複数のリード端子のうちの一本を挟持して、それにより、前記被測定電子部品のリード端子の１本と前記コンタクトとを接続させるＺＩＦソケットコネクタであって、
前記複数のコンタクトは、一方および他方のコンタクト片のコンタクト対から成り、該一方および他方のコンタクト片は、互いに独立し離間し対向するように配されており、
前記一方および他方のコンタクト片は、前記電子部品のリード端子の１本と接触する接触部と、前記ベースインシュレータに保持される保持部と、前記保持部から延び、前記ベースインシュレータ内部から外部に抜け出るリード端子部とを有し、
前記一方のコンタクト片は、前記接触部と前記端子部とが前記一方のコンタクト片の配列方向と直交する方向にずれて形成され、
前記他方のコンタクト片は、前記接触部と前記端子部とが前記他方のコンタクト片の配列方向にずれて形成されることを特徴とするＺＩＦソケットコネクタ。
【請求項２】
請求項１に記載のＺＩＦソケットコネクタにおいて、
被測定の電子部品が持っている１本のリード端子につき前記コンタクト対が対応するように接続することにより、前記電子部品の抵抗値を測定することを特徴とするＺＩＦソケットコネクタを用いた電子部品の抵抗値の測定方法。
【請求項３】
ＺＩＦソケットコネクタに使用され、相手側コンタクト部材を挟持して受容するためのコンタクト対であって、
該コンタクト対のうち、一方のコンタクト片は、予め定められた平面上に形成され、
予め定められた方向に延びる一方のリード端子部と；前記予め定められた平面上で前記一方のリード端子部に直交して一方のピッチだけ曲がって延びる一方の湾曲部と；該湾曲部から前記予め定められた平面上で前記予め定められた方向に沿って延び、相手側コンタクト部材を受容したときに接触する一方の接触部とを持つ一方、
他方のコンタクト片は、前記予め定められた平面に離間した略平行な湾曲面上に形成され、該湾曲面は前記予め定められた平面に直交する直交面を含み、
前記予め定められた方向に沿って延びる他方のリード端子部と；前記直交面を形成するように前記他方のリード端子部から他方のピッチだけ延びる段差部と；該段差部から前記予め定められた方向に沿って延び、前記相手側コンタクト部材を受容したときに接触する他方の接触部とを持つことを特徴とするＺＩＦソケットコネクタに使用されるコンタクト対。
【請求項４】
請求項３に記載のコンタクト対を使用したＺＩＦソケットコネクタであって、
前記ベースインシュレータは、前記コンタクト対の一方および他方のコンタクトをそれぞれ受容するための穴部が、互いに隣接するようにそれぞれ穿設されていることを特徴とするＺＩＦソケットコネクタ。
【発明の詳細な説明】
【０００１】
【発明の属する技術分野】
本発明は、ＺＩＦソケットコネクタに関し、特に、相手側コンタクト部材すなわち被測定電子部品の接触抵抗値を測定するためのＺＩＦソケットコネクタに関するものである。
【０００２】
【従来の技術】
この種のＺＩＦソケットコネクタの従来例として、実開昭６３−１６８９７４号がある。
【０００３】
【発明が解決しようとする課題】
しかしながら、従来例では、相手側コンタクト部材すなわち被測定電子部品の抵抗値を測定する際、接触抵抗まで考慮されておらず、精密な抵抗値を測定できないという欠点がある。
【０００４】
そこで、本発明の技術的課題は、接触抵抗のような微妙な抵抗を測定する場合でも、正確な値を測定できるＺＩＦソケットコネクタを提供することである。
【０００５】
【課題を解決するための手段】
本発明は、課題を解決するために、次の手段を採用する。
【０００６】
（１）  複数のコンタクトと、これらコンタクトを予め定められた方向に収納するベースインシュレータと、該ベースインシュレータに搭載され前記予め定められた方向に直交する方向に摺動するスライダとを備え、
前記スライダを摺動させ、少くとも一つのコンタクトの側面を押して移動させ、当該コンタクトが、被測定電子部品の複数のリード端子のうちの一本を挟持して、それにより、前記被測定電子部品のリード端子の１本と前記コンタクトとを接続させるＺＩＦソケットコネクタであって、
前記複数のコンタクトは、一方および他方のコンタクト片のコンタクト対から成り、該一方および他方のコンタクト片は、互いに独立し離間し対向するように配されており、
前記一方および他方のコンタクト片は、前記電子部品のリード端子の１本と接触する接触部と、前記ベースインシュレータに保持される保持部と、前記保持部から延び、前記ベースインシュレータ内部から外部に抜け出るリード端子部とを有し、
前記一方のコンタクト片は、前記接触部と前記端子部とが前記一方のコンタクト片の配列方向と直交する方向にずれて形成され、
前記他方のコンタクト片は、前記接触部と前記端子部とが前記他方のコンタクト片の配列方向にずれて形成されることを特徴とするＺＩＦソケットコネクタ。
【０００７】
（２）  （１）に記載のＺＩＦソケットコネクタにおいて、
被測定の電子部品が持っている１本のリード端子につき前記コンタクト対が対応するように接続することにより、前記電子部品の抵抗値を測定することを特徴とするＺＩＦソケットコネクタを用いた電子部品の抵抗値の測定方法。
【０００８】
（３）  ＺＩＦソケットコネクタに使用され、相手側コンタクト部材を挟持して受容するためのコンタクト対であって、
該コンタクト対のうち、一方のコンタクト片は、予め定められた平面上に形成され、
予め定められた方向に延びる一方のリード端子部と；前記予め定められた平面上で前記一方のリード端子部に直交して一方のピッチだけ曲がって延びる一方の湾曲部と；該湾曲部から前記予め定められた平面上で前記予め定められた方向に沿って延び、相手側コンタクト部材を受容したときに接触する一方の接触部とを持つ一方、
他方のコンタクト片は、前記予め定められた平面に離間した略平行な湾曲面上に形成され、該湾曲面は前記予め定められた平面に直交する直交面を含み、
前記予め定められた方向に沿って延びる他方のリード端子部と；前記直交面を形成するように前記他方のリード端子部から他方のピッチだけ延びる段差部と；該段差部から前記予め定められた方向に沿って延び、前記相手側コンタクト部材を受容したときに接触する他方の接触部とを持つことを特徴とするＺＩＦソケットコネクタに使用されるコンタクト対。
【０００９】
（４）  （３）に記載のコンタクト対を使用したＺＩＦソケットコネクタであって、
前記ベースインシュレータは、前記コンタクト対の一方および他方のコンタクトをそれぞれ受容するための穴部が、互いに隣接するようにそれぞれ穿設されていることを特徴とするＺＩＦソケットコネクタ。
【００１０】
【作用】
本発明のＺＩＦソケットコネクタに使用されるコンタクト対は、互いに独立し離間し対向する一方および他方のコンタクト片として作用する。
【００１１】
一方のコンタクト片は、予め定められた平面（一方の平面）上で予め定められた方向から直交する方向に所定のピッチだけ湾曲して延び、それにより、湾曲部が形成される。湾曲部は、ベースインシュレータの隣接する穴部の一方に保持される保持部として作用する。
【００１２】
また、他方のコンタクト片は、予め定められた平面に離間した略平行な湾曲面上に形成される。湾曲面は、予め定められた平面に直交する直交面を含み、この直交面において他方のピッチを持つように延びる段差部を形成している。この段差部は、ベースインシュレータの隣接する穴部の他方に保持される保持部として作用する。
【００１３】
【発明の実施の形態】
本発明の実施の形態によるＺＩＦソケットコネクタを説明する前に、関連発明を説明する。
【００１４】
（関連発明）
図１１〜図１６を参照して、関連発明のＺＩＦソケットコネクタ１１は、Ｙ字型で可動のコンタクト１３と、穴部１６を持つベースインシュレータ１５と、穴部１８を持つカバーインシュレータ１７と、穴部２０を持つスライダ１９と、スライダ１９を摺動させる凸部すなわちクランク部２２を持つレバー２１と、Ｌ字型金具２３と、取付けネジ２５とを備える。
【００１５】
被測定電子部品が抵抗器であると仮定する。この抵抗器の値を測定するには、ＺＩＦソケットコネクタ１１を組み立ててから、カバーインシュレータ１７の穴部１８に被測定電子部品を挿入して取り付ける。
【００１６】
図１６を参照して、レバー２１を９０度回転・駆動させる。このとき、レバー２１のクランク部２２がスライダ１９を横方向に押して摺動させ、Ｙ字型コンタクト１３の一方の接触片が、他方の接触片によって押し付けられる。そのため、Ｙ字型のコンタクト１３の両接触片が閉じるように動作する結果、被測定電子部品の端子が両側からコンタクト１３によって挟持される。
【００１７】
ところで、関連発明では、図１７に示すように、コンタクト１３の一方および他方の接触片すなわち両端（２端子）に測定器を接続してから抵抗値を測定する。
【００１８】
また、図１８には、電流ラインとセンシングラインとを分離した４端子測定法の原理が示され、図１７の２端子測定法より、精密な接触抵抗すなわち精密抵抗の値を得ることができる。
【００１９】
しかしながら、関連発明では、図１９および図２０に示すように、コンタクト１３の両接触片の間が繋がっているため、２端子間の導体抵抗が、実測の抵抗値に加算されてしまう。その結果、接触抵抗のような微妙な抵抗を測定する場合には、正確な抵抗値を測定できない。
【００２０】
（発明の実施の形態）
さて、本発明の実施の形態によるＺＩＦソケットコネクタを図面を用いて説明する。
【００２１】
図１〜図９を参照して、本発明の実施の形態によるＺＩＦソケットコネクタ３１は、可動のコンタクト３３と、コンタクト３３を受容する穴部３６を持つベースインシュレータ３５と、穴部３８を持つカバーインシュレータ３７と、穴部４０を持つスライダ３９と、スライダ３９を摺動させる凸部すなわちクランク部４２を持つレバー４１と、Ｌ字型金具４３と、取付けネジ４５とを備える。
【００２２】
図２（Ｂ）に示されているように、本発明の特徴は、図２（Ａ）の関連発明のＹ字型で可動のコンタクト１３の中央部を切断し、左右一対のコンタクト３３としてそれぞれ独立させたことである。
【００２３】
一方のコンタクト片３３−１は、予め定められた平面（一方の平面）上に形成され、予め定められた方向に延びるリード端子３３−１ａと、リード端子３３−１ａから一方のピッチＰ１だけ湾曲して延びる湾曲部３３−１ｂと、接触部３３−１ｃとを備える。湾曲部３３−１ｂは、予め定められた平面上で予め定められた方向から直交する方向に一方のピッチＰ１だけ湾曲して延びる。
【００２４】
また、他方のコンタクト片は、予め定められた平面（一方の平面）に離間した略平行な湾曲面上に形成される。この湾曲面は、予め定められた平面に直交する直交面を含む。他方のコンタクト片は、リード端子３３−２ａと、直交面上においてリード端子３３−２ａから他方のピッチＰ２だけ延びる段差部３３−２ｂと、接触部３３−２ｃとを備える。離間距離は、両リード端子部３３−１ａと３３−２ａとの間では予め定められた距離であり、両接触部３３−１ｃと３３−２ｃとの間では予め定められた距離に他方のピッチＰ２を加えたものである。尚、一方および他方のピッチＰ１およびＰ２は、略同一寸法である。
【００２５】
繰り返して詳述すると、本発明の実施の形態によるＺＩＦソケットコネクタ３１に使用される左右一対のコンタクト３３は、被測定電子部品（相手側コンタクト部材）（図１０（Ａ）および（Ｃ）の被測定抵抗器Ｒ１のリード端子）をそれぞれ挟持して受容するものである。
【００２６】
図２（Ｂ）の左側に示された一方のコンタクト片３３−１は、予め定められた平面上に形成されている。一方のコンタクト片３３−１は、予め定められた方向に延びる一方のリード端子部３３−１ａと；予め定められた平面上で一方のリード端子部３３−１ａから直交して一方のピッチＰ１だけ曲がって延びる一方の湾曲部３３−１ｂと；この湾曲部３３−１ｂから予め定められた平面上で予め定められた方向に沿ってＴ形状に延び、相手側コンタクト部材を受容したときに接触する一方の接触部３３−１ｃ（Ｔ形状部）とを持つ。
【００２７】
また、図２（Ｂ）の右側に示された他方のコンタクト片３３−２は、予め定められた平面に沿って予め定められた方向に延びる他方のリード端子部３３−２ａと；予め定められた平面に対して直交した平面上において他方のリード端子部３３−２ａから直交して他方のピッチＰ２だけ延びる段差部３３−２ｂと；予め定められた平面に沿って予め定められた方向に段差部３３−２ｂからＴ形状に延び、相手側コンタクト部材を受容したときに接触する他方の接触部３３−２ｃ（Ｔ形状部）とを持つ。
【００２８】
一方のコンタクト片３３−１の湾曲部３３−１ｂおよび他方のコンタクト片３３−２の段差部３３−２ｂは、それぞれベースインシュレータ３５の穴部３６に保持される保持部として作用する。
【００２９】
図３（Ａ）および（Ｂ）を対比しながら、図３（Ｂ）に示すベースインシュレータ３５において、一方および他方のコンタクト片３３−１、３３−２を受容するための穴部３６は、互いに隣接した穴として千鳥格子状に配置されている。
【００３０】
図８および図９を参照して、ＺＩＦソケットコネクタ３１を組み立てた後、このＺＩＦソケットコネクタ３１の動作を説明する。まず、垂直に立っているレバー４１を横に倒し、９０度回転・駆動させる。このとき、レバー４１のクランク部４２がスライダ３９を横方向に押してスライダ３９が摺動する。
【００３１】
同時に、一方のコンタクト片３３−１が、他方のコンタクト片３３−２によって押し付けられる。そのため、両コンタクト３３が閉じるように動作する結果、被測定物の端子が両側からコンタクト３３によって挟持される。
【００３２】
ところで、被測定電子部品が抵抗器のようにリード端子が２端子である場合には、図１０（Ａ）、（Ｂ）および図２０を参照して、一方および他方のコンタクト片３３−１と３３−２とには、一方のリード端子のｃおよびｄと他方のリード端子のａおよびｂとの４端子を測定器（デジタルボルトメータ）に接続することにより、被測定抵抗器Ｒ１の抵抗値の測定が可能となる。
【００３３】
図１０（Ｃ）および図１８を参照して、被測定抵抗器Ｒ１のリード端子１本はコンタクト片３３−１または３３−２に接続されている。そのため、一方および他方の各リード端子に＋Ｉ、−Ｓ、−Ｉ、＋Ｓのいずれかが、接続され、４端子接続で測定されることにより、非常に正確な抵抗値の測定が可能となる。
【００３４】
詳しく述べると、本発明のＺＩＦソケットコネクタを用いて抵抗を測定する場合は、図１０（Ｃ）に示すように、被測定抵抗器Ｒ１のリード端子１本に対し２つの独立したコンタクト３３が接するため、電流（Ｉ）、センシングライン（Ｓ）用のケーブルを単独で設けている。コンタクト３３が抵抗器Ｒ１の両リード端子に接する接点すなわちα点〜β点までの正確な抵抗値の測定が可能となる。
【００３５】
【発明の効果】
本発明のＺＩＦソケットコネクタによれば、Ｙ字型コンタクトの中央部を切断し、コンタクト対すなわち一方および他方のコンタクト片を形成し、インシュレータの隣接した穴部にそれぞれ配するようにしたことにより、接触抵抗のような微妙な抵抗を測定する場合でも、正確な値を測定できるＺＩＦソケットコネクタを提供できるという効果を奏する。
【００３６】
しかも、被測定電子部品の脱着に力を要さなくなる。そのため、挿抜が容易で、接触安定性が高くなり、被測定電子部品のリード端子を変形させる危険性も少なくなるという効果をも期待できる。
【図面の簡単な説明】
【図１】本発明の実施の形態によるＺＩＦソケットコネクタ３１の分解斜視図である。
【図２】（Ａ）図１１の関連発明のＺＩＦソケットコネクタ１１に使用されるＹ字型のコンタクト１３の斜視図である。
（Ｂ）図１の本発明の実施の形態によるＺＩＦソケットコネクタ３１に使用される左右一対のコンタクト３３すなわち一方のコンタクト片３３−１および他方のコンタクト片３３−２の斜視図である。
【図３】（Ａ）図１１の関連発明のＺＩＦソケットコネクタ１１に使用されるベースインシュレータ１５の上面図である。
（Ｂ）図１の本発明の実施の形態によるＺＩＦソケットコネクタ３１に使用されるベースインシュレータ３５の上面図である。
【図４】図１の本発明の実施の形態によるＺＩＦソケットコネクタ３１に使用されるカバーインシュレータ３７の上面図である。
【図５】点線で示す挿入方向にコンタクトを千鳥に組み込むことを説明するための一方および他方のコンタクト片３３−１および３３−２の概念的側面図である。
【図６】（Ａ）本発明の実施の形態によるＺＩＦソケットコネクタ３１のスライダー３９の上面図である。
（Ｂ）Ｌ字型金具４３の側面図である。
（Ｃ）レバー４１の側面図である。
【図７】（Ａ）本発明の実施の形態によるＺＩＦソケットコネクタ３１のｃｃ断面図である。
（Ｂ）本発明の実施の形態によるＺＩＦソケットコネクタ３１のｄｄ断面図である。
【図８】（Ａ）本発明の実施の形態によるＺＩＦソケットコネクタ３１の通常時のａａ断面図である。
（Ｂ）（Ａ）のレバー４１を傾倒した時のａａ断面図である。
【図９】（Ａ）本発明の実施の形態によるＺＩＦソケットコネクタ３１の通常時のｂｂ断面図である。
（Ｂ）（Ａ）のレバー４１を傾倒した時のｂｂ断面図である。
【図１０】（Ａ）本発明の実施の形態によるＺＩＦソケットコネクタ３１のカバーインシュレータに穿設された隣接穴Ａ、Ｂ間に被測定抵抗器Ｒ１を挿入しその抵抗値を測定しようとした場合を示す概略図である。
（Ｂ）図１のＺＩＦソケットコネクタ３１を用いた４端子測定方法を説明するための図である。
（Ｃ）本発明の４端子測定法の原理を説明するための図である。
【図１１】関連発明のＺＩＦソケットコネクタ１１の分解斜視図である。
【図１２】図１１のＺＩＦソケットコネクタ１１を構成するカバーインシュレータ１７の上面図である。
【図１３】図１１のＺＩＦソケットコネクタ１１を構成するスライダー１９の上面図である。
【図１４】図１１のＺＩＦソケットコネクタ１１を構成するベースインシュレータ１５の上面図である。
【図１５】図１１のＺＩＦソケットコネクタ１１の断面図で、レバー２１が上に配置された通常時を示す。
【図１６】図１１のＺＩＦソケットコネクタ１１の断面図で、レバー２１が横に傾倒された時を示す。
【図１７】２端子測定法の原理を説明するための図である。
【図１８】４端子測定法の原理を説明するための図である。
【図１９】関連発明の２端子測定法を説明するための図である。
【図２０】関連発明の４端子測定法を説明するための図である。
【符号の説明】
１１  関連発明のＺＩＦソケットコネクタ
１３  Ｙ字型で可動のコンタクト
１５  ベースインシュレータ
１７  カバーインシュレータ
１９  スライダ
２１  レバー
２３  Ｌ字型金具
２５  取付けネジ
３１  本発明の実施の形態によるＺＩＦソケットコネクタ
３３  Ｙ字型で可動のコンタクト
３３−１  一方のコンタクト片
３３−１ａ  一方のリード端子部
３３−１ｂ  一方のピッチＰ１を持つ湾曲部（保持部）
３３−１ｃ  一方の接触部（Ｔ形状部）
３３−２  他方のコンタクト片
３３−２ａ  他方のリード端子部
３３−２ｂ  他方のピッチＰ２を持つ段差部（保持部）
３３−２ｃ  他方の接触部（Ｔ形状部）
３６  穴部
３５  ベースインシュレータ
３７  カバーインシュレータ
３８  穴部
３９  スライダ
４０  穴部
４１  レバー
４２  凸部（クランク部）
４３  Ｌ字型金具
４５  取付けネジ
【図１】
0003665952.tif 000002
【図２】
0003665952.tif 000003
【図３】
0003665952.tif 000004
【図４】
0003665952.tif 000005
【図５】
0003665952.tif 000006
【図６】
0003665952.tif 000007
【図７】
0003665952.tif 000008
【図８】
0003665952.tif 000009
【図９】
0003665952.tif 000010
【図１０】
0003665952.tif 000011
【図１１】
0003665952.tif 000012
【図１２】
0003665952.tif 000013
【図１３】
0003665952.tif 000014
【図１４】
0003665952.tif 000015
【図１５】
0003665952.tif 000016
【図１６】
0003665952.tif 000017
【図１７】
0003665952.tif 000018
【図１８】
0003665952.tif 000019
【図１９】
0003665952.tif 000020
【図２０】
0003665952.tif 000021